(57)【要約】【課題】出力前に画像の確認を行う利用者の利便性を向上させる手段を提供する。【解決手段】出力する画像データの出力前確認表示を行う画像処理装置において、設定可能な出力前確認表示条件を保持する管理部と、設定された前記出力前確認表示条件に基づいて前記画像データを解析する解析部と、前記解析部の解析結果に従って前記画像データの出力前確認表示を行う表示部とを有する。【選択図】        図１
2016063400.tif 000002
【特許請求の範囲】
【請求項１】
出力する画像データの出力前確認表示を行う画像処理装置において、
設定可能な出力前確認表示条件を保持する管理部と、
設定された前記出力前確認表示条件に基づいて前記画像データを解析する解析部と、
前記解析部の解析結果に従って前記画像データの出力前確認表示を行う表示部と、
を有することを特徴とする画像処理装置。
【請求項２】
請求項１に記載の画像処理装置において、
利用者による前記出力前確認表示条件の設定操作を受付ける操作部を有することを特徴とする画像処理装置。
【請求項３】
請求項１または請求項２に記載の画像処理装置において、
前記解析部の解析結果に基づいて前記画像データ毎に出力前確認表示の表示順位を判定する判定部を有し、
前記表示部は、前記表示順位に従って前記画像データを表示することを特徴とする画像処理装置。
【請求項４】
請求項３に記載の画像処理装置において、
前記出力前確認表示条件が複数ある場合、前記出力前確認表示条件を選択する選択部を有し、
前記表示部は、前記選択された出力前確認表示条件に従って画像データを表示することを特徴とする画像処理装置。
【請求項５】
請求項１から請求項４のいずれかに記載の画像処理装置において、
前記出力前確認表示条件は、出力するページの重要度または視認度を表す条件であることを特徴とする画像処理装置。
【請求項６】
請求項５に記載の画像処理装置において、
前記出力前確認表示条件は、情報量の多いページ、指定した文字列を含むページ、または小さなフォントを含むページであることを特徴とする画像処理装置。
【請求項７】
請求項３または請求項４に記載の画像処理装置において、
前記解析部は、前記画像データを解析して画像処理を行うために消費する資源の消費量を算出し、
前記判定部は、前記消費量が閾値を超えた場合、前記表示順位が高いと判定することを特徴とする画像処理装置。
【請求項８】
請求項７に記載の画像処理装置において、
前記資源の残量を管理する資源管理部を有し、
前記残量が前記資源管理部により所定量より少ないと判定されたとき、前記判定部が、前記消費量が閾値を超えた場合、前記表示順位が高いと判定することを特徴とする画像処理装置。
【請求項９】
出力する画像データの出力前確認表示を行う画像処理方法において、
出力前確認表示を行うための出力前確認表示条件を設定するステップと、
前記出力前確認表示条件に基づいて前記画像データを解析するステップと、
前記解析結果に従って前記画像データの出力前確認表示を行うステップと、
を含むことを特徴とする画像処理方法。
【発明の詳細な説明】
【技術分野】
【０００１】
本発明は、画像処理を行う画像処理装置および画像処理方法に関する。
【背景技術】
【０００２】
従来の画像処理装置は、原稿を搬送路に受け入れて読取り動作を行い、その原稿を戻し動作によって元の位置に戻し、再び読取り動作を行うマルチページ読取りにおいて、１回目の読取り動作で読み取った画像をプレビュー表示し、出力前に読み取った画像の確認を行うようにしているものがある（例えば、特許文献１参照）。
【先行技術文献】
【特許文献】
【０００３】
【特許文献１】特開２０００−１５１９１２号公報
【発明の概要】
【発明が解決しようとする課題】
【０００４】
しかしながら、従来の技術においては、プレビュー表示されるページが複数存在していた場合、利用者はプレビュー表示されるすべてのページを確認する必要があり、出力前に画像の確認を行う利用者にとって利便性が十分でないという問題がある。
本発明は、このような問題を解決することを課題とし、出力前に画像の確認を行う利用者の利便性を向上させることを目的とする。
【課題を解決するための手段】
【０００５】
そのため、本発明は、出力する画像データの出力前確認表示を行う画像処理装置において、設定可能な出力前確認表示条件を保持する管理部と、設定された前記出力前確認表示条件に基づいて前記画像データを解析する解析部と、前記解析部の解析結果に従って前記画像データの出力前確認表示を行う表示部と、を有することを特徴とする。
【発明の効果】
【０００６】
このようにした本発明は、出力前に画像の確認を行う利用者の利便性を向上させることができるという効果が得られる。
【図面の簡単な説明】
【０００７】
【図１】実施例における画像処理装置の構成を示すブロック図
【図２】実施例におけるプレビュー表示処理の流れを示すフローチャート
【図３】実施例におけるプレビュー条件情報および属性情報の説明図
【図４】実施例におけるプレビュー条件値テーブルの説明図
【図５】実施例における画面遷移の説明図
【図６】実施例における上下逆になった画像データの説明図
【図７】実施例における傾いた画像データの説明図
【図８】実施例におけるトナー消費量が多い画像データの説明図
【図９】実施例におけるトナー消費量が多い画像データのプレビュー画面の説明図
【発明を実施するための形態】
【０００８】
以下、図面を参照して本発明による画像処理装置および画像処理方法の実施例を説明する。
【実施例】
【０００９】
図１は実施例における画像処理装置の構成を示すブロック図である。
図１において、画像処理装置としての複合機１００は、プレビュー管理部１０１と、プレビュー判定部１０２と、蓄積部１０３と、操作部１０４と、選択部１０５と、表示部１０６と、読取部１０７と、ファックス送受信部１０８と、印刷部１０９と、通信部１１０と、画像変換部１１１と、解析部１１５と、システム制御部１１２とを備えている。
【００１０】
この複合機１００は、画像データを入力し、入力した画像データ出力するものである。複合機１００は、画像データを出力する前に、その画像データの出力の可否を確認するため、出力前確認表示としてのプレビュー表示を表示部１０６で行う。
表示部１０６は、複合機１００を利用する利用者が複合機１００の状態および複合機１００に対して利用者が行う操作の結果を確認するための表示をディスプレイ等の表示手段に行うものである。また、表示部１０６は、プレビュー判定部１０２の判定に従って画像データをプレビュー表示するものである。
【００１１】
操作部１０４は、利用者がコピー（複写）を代表とする複合機１００の機能を、必要に応じて表示部１０６に表示させて利用する場合に、利用者による入力操作の受付を行うものである。
読取部１０７は、スキャナ等で原稿を読取り、画像データに変換するものである。
ファックス送受信部１０８は、ファクシミリ通信の送受信を行うものである。
【００１２】
通信部１１０は、印刷ジョブ等による画像データとその画像データに対して行う画像処理の命令および処理に必要な設定値を受信するものである。また、通信部１１０は、画像変換部１１１で変換された画像データを操作部１０４で設定された宛先に電子メール送信、またはＦＴＰ（Ｆｉｌｅ  Ｔｒａｎｓｆｅｒ  Ｐｒｏｔｏｃｏｌ）送信するものである。
蓄積部１０３は、読取部１０７で読取った原稿の画像データ、ファックス送受信部１０８で受信した画像データ、または通信部１１０で受信した画像データを蓄積、格納するものである。
【００１３】
画像変換部１１１は、ファックス送受信部１０８で受信した画像データ、読取部１０７で読取った画像データ、または通信部１１０から受信した画像データ、すなわち蓄積部１０３に格納された画像データに対して、画像変換用の設定値に基づいて画像変換を行うものである。この画像変換部１１１は、画像変換用の設定値に基づきカラーからモノクロまたはグレー画像への色の変換、指定された解像度で画像データを出力する解像度の変換、読取部１０７で読取った複数枚の原稿の画像データを縮小して１枚の画像データに集約する集約変換等の画像変換を施す。
また、画像変換部１１１は、画像変換後の画像データのプレビュー画像を生成するプレビュー生成部１１４を含んでいる。さらに、表示部１０６は、プレビュー生成部１１４で生成されたプレビュー画面を表示するプレビュー表示部１１３を含んでいる。
【００１４】
印刷部１０９は、画像変換部１１１で変換された画像データを印刷用紙等の媒体に印刷するものである。
解析部１１５は、プレビュー管理部１０１の保持されたプレビュー条件に基づいて画像データを解析するものである。この解析部１１５は、プレビュー条件に基づいて画像データを解析し、画像データのサイズ、画像データに含まれる文字のフォントのサイズ、指定された文字列が含まれるか否か等の画像データの特徴を表す値（以下、「属性情報」という。）を検出するものである。
【００１５】
判定部としてのプレビュー判定部１０２は、解析部１１５の解析結果に基づいて画像データ毎にプレビュー表示の表示順位を判定するものである。また、プレビュー判定部１０２は、画像処理を伴う機能を実行する際に、入力された画像データについて解析部１１５による解析によって検出された画像データの属性情報により、プレビュー表示する順序を決定するための優先度を判定するものである。
【００１６】
管理部としてのプレビュー管理部１０１は、設定可能なプレビュー条件を保持するものである。このプレビュー管理部１０１は、プレビュー表示の優先度の判定を行うための出力前確認表示条件としてのプレビュー条件（画像データのサイズによる判定の要否等）、閾値（フォントサイズの大きさ等）、および検出する対象の文字列等、操作部１０４で入力された設定値を保持するものである。また、プレビュー管理部１０１は、設定値の取得の要求を受け付けて保持した設定値を返すものである。
【００１７】
ここで、プレビュー条件（出力前確認表示条件）とは、出力するページの重要度や視認度等を表す条件である。本実施例では、出力するページの重要度が高いページや視認度が低いページは出力する前に出力の要否を利用者に対して確認するためプレビュー表示を行うようにしている。重要度の高い条件として「情報量の多いページ」、「指定した文字列を含むページ」、視認度が低い条件として「小さなフォントを含むページ」とする。
また、出力とは、印刷部１０９による印刷、通信部１１０による電子メール送信、ファックス送受信部１０８によるファクシミリ送信、メモリカードやＵＳＢ（Ｕｎｉｖｅｒｓａｌ  Ｓｅｒｉａｌ  Ｂｕｓ）メモリ等の外部記憶手段への書込み、またはメモリやハードディスク等の内部記憶手段への書込み等である。
【００１８】
さらに、優先度とは、プレビュー表示する順位を決定するための度合いである。本実施例では、プレビュー条件が「情報量の多いページ」の場合、画像データサイズが大きいページの優先度が高くなり、画像データサイズが小さいページの優先度は低くなる。プレビュー条件が「指定した文字列を含むページ」の場合、指定した文字列を多く含むページの優先度が高くなり、指定した文字列が少ないページの優先度は低くなる。プレビュー条件が「小さなフォントを含むページ」の場合、設定されたフォントサイズ以下のフォントを多く含むページの優先度が高くなり、設定されたフォントサイズ以下のフォントが少ないページの優先度は低くなる。なお、フォントの数でなく、最も小さいフォントを含むページの優先度を高くするようにしても良い。この場合、優先度を所定のサイズ以下のフォントの数で判定する場合と、最も小さいフォントの大きさで判定する場合とは設定により切り替え可能とする。
【００１９】
選択部１０５は、プレビュー条件が複数ある場合、プレビュー条件を選択するものである。この選択部１０５は、プレビュー管理部１０１において保持されるプレビュー表示の優先度の判定を行うためのプレビュー条件情報を取得する。そして、選択部１０５は、取得した条件に基づき、プレビュー表示を行うプレビュー条件の選択を受付ける。プレビュー表示部１１３は、選択部１０５で選択されたプレビュー条件に従って画像データのプレビュー表示を行う。
【００２０】
システム制御部１１２は、プレビュー管理部１０１と、プレビュー判定部１０２と、蓄積部１０３と、操作部１０４と、選択部１０５と、表示部１０６と、読取部１０７と、ファックス送受信部１０８と、印刷部１０９と、通信部１１０と、画像変換部１１１と、解析部１１５とを統括的に制御するものである。そして、システム制御部１１２は、複合機１００全体の動作を制御するものである。
また、システム制御部１１２は、資源管理部として、トナーやインク等の資源の残量をセンサ等の残量検知手段で検知して管理する。
【００２１】
上述した構成の作用について説明する。
複合機が行うプレビュー表示処理を図２の実施例におけるプレビュー表示処理の流れを示すフローチャートの図中Ｓで表すステップに従って図１を参照しながら説明する。
本実施例では、複合機１００が行うプレビュー表示処理として、入力された画像データの属性情報に基づいてプレビューの優先度を判定して優先的にプレビュー表示すべき画像データとして利用者に提示する処理を複数のページの原稿を読み取ってコピーを行う場合を例として説明する。
【００２２】
Ｓ１０１：待機状態の複合機１００は、表示部１０６にコピー機能等の各種機能を選択するための機能選択画面を表示する。機能選択画面を表示した複合機１００は、操作部１０４で利用者により利用する機能の選択操作の入力を待機する。複合機１００は、操作部１０４で画像処理機能（本実施例では、コピー機能）の選択を検知すると処理をＳ１０２へ移行する。
【００２３】
Ｓ１０２：操作部１０４でコピー機能の選択入力を検知すると、システム制御部１１２は表示部１０６にコピー機能の利用画面を表示する。利用者は表示部１０６を参照してプレビュー条件の設定を行なうものとする。操作部１０４は、利用者によるプレビュー条件の設定の操作を受付ける。（プレビュー条件の設定）
このプレビュー条件の設定において、利用者はコピーを実行することに対して問題がないか判断するために優先的にプレビュー表示を行うべきページの条件の設定を行なうものとする。
【００２４】
システム制御部１１２は、プレビュー条件の設定画面として「情報量の多いページ」、「小さなフォントを含むページ」、「指定した検索文字を含むページ」等の選択肢を表示部１０６に表示する。システム制御部１１２は、操作部１０４で利用者の入力操作を受付ける。システム制御部１１２は、プレビュー管理部１０１により、選択されたプレビュー条件の設定情報と実行される機能とを関連付けて保持する。
【００２５】
本実施例では、「小さなフォントを含むページ」が選択された場合、または「指定した検索文字を含むページ」が選択された場合は、それぞれ、小さなフォントと判定するための閾値として具体的なフォントのサイズまたは検索用の文字列の入力操作を操作部１０４で受付ける。プレビュー管理部１０１は、入力されたフォントのサイズまたは検索用の文字列を保持する。
【００２６】
Ｓ１０３：プレビュー条件の設定を操作部１０４で受付けた後、コピーのための読取り動作の開始を指示する入力操作を操作部１０４で受付けると、システム制御部１１２は読取部１０７により１ページ分の原稿を読取る。システム制御部１１２は、読取った画像データを蓄積部１０３に格納する。（１ページ分の画像データを入力）
なお、本実施例では、プレビュー条件の設定を行なった後に画像データの入力を行うようにしたが、プレビュー条件の設定を行う前に画像データの入力を行うようにしても良い。
【００２７】
Ｓ１０４：解析部１１５は、プレビュー管理部１０１で保持されたプレビュー条件の情報を取得する。解析部１１５は、取得したプレビュー条件の情報に基づいて蓄積部１０３に格納された画像データの解析を行う。解析部１１５は、検出した属性情報を画像データと関連付けて蓄積部１０３に蓄積する。（画像データの解析）
Ｓ１０５：システム制御部１１２は、コピー対象のすべての画像データの解析が終了したか否かを判定し、終了していないと判定すると処理をＳ１０３へ移行して１ページ分の画像データの入力および画像データの解析を行い、終了したと判定すると処理をＳ１０６へ移行する。
【００２８】
Ｓ１０６：コピー対象のすべての画像データの解析が終了したと判定したシステム制御部１１２は、プレビュー管理部１０１で保持されたプレビュー条件の情報と、蓄積部１０３に蓄積された属性情報とに基づいてプレビュー表示を行う優先度を算出する。プレビュー判定部１０２は、蓄積部１０３に蓄積された画像データ毎に優先的にプレビュー表示するか否かを判定する。（プレビュー優先度の算出）
ここで、プレビュー管理部１０１で保持されたプレビュー条件の情報および蓄積部１０３に蓄積された属性情報を図３の実施例におけるプレビュー条件情報および属性情報の説明図、図４の実施例におけるプレビュー条件値テーブルの説明図に基づいて説明する。
【００２９】
図３（ａ）に示すプレビュー条件テーブル２０１は、実行されている画像処理の機能を識別するジョブ識別子としての「ジョブＮｏ．」に関連付けて「画像データのサイズ」、「フォントのサイズ」、「指定文字列」等のプレビュー条件の情報を記憶する。なお、情報量の多いページは、画像データのサイズが大きくなるため、「画像データのサイズ」が情報量の多いページに対応している。情報量の多いページは、例えば文字認識による文字数の多さや、周波数分析等により画像データの濃淡の情報量の多さを判定するようにしても良い。
このプレビュー条件テーブル２０１において「○」が付された属性情報の要素を基にしてプレビューの優先度を判定する。
【００３０】
図４（ａ）に示すテーブル３０１は、プレビュー条件テーブル２０１において「フォントサイズ」に「○」が付された場合のフォントサイズの閾値の情報を記憶するものである。例えば、テーブル３０１は、「ジョブＮｏ．」が「０００００００１」のジョブに対して「小さなフォントを含むページ」がプレビュー条件に設定され、閾値としてのフォントのサイズが「７ｐｔ（ポイント）」に設定されていることを示している。
【００３１】
また、図４（ｂ）に示すテーブル３０２は、プレビュー条件テーブル２０１において「指定文字列」に「○」が付された場合の検索用の文字列の情報を記憶するものである。例えば、テーブル３０２は、「ジョブＮｏ．」が「０００００００１」のジョブに対して「指定した検索文字を含むページ」がプレビュー条件に設定され、検索用の文字列として「“納品書”」が設定されていることを示している。
プレビュー管理部１０１は、「ジョブＮｏ．」をキーとしてプレビュー条件テーブル２０１とプレビュー条件値としてのテーブル３０１、３０２等とを関連付けて保持する。
【００３２】
図３（ｂ）に示す解析結果テーブル２０２は、解析部１１５がプレビュー条件テーブル２０１およびプレビュー条件値の情報に基づいて画像データを解析した結果が格納されるものである。この解析結果テーブル２０２は、「ジョブＮｏ．」と、読取った原稿を識別する識別情報として「ページＮｏ．」とをキーとして画像データに関連付けられて蓄積部１０３に保持、蓄積される。
【００３３】
解析結果テーブル２０２の「フォントのサイズ」は、読取った画像データに含まれる文字の最小のフォントのサイズを示している。また「指定文字の検出個数」は、検出した検索用の文字列の数を示している。
プレビュー判定部１０２は、解析結果テーブル２０２における各ページの属性情報の解析結果の値に基づいて優先度を算出する。例えば、「フォントのサイズ」により優先度を算出する場合、最小のフォントが最も多く検出されたページの優先度が高くなるように値（一例として、優先度＝（１÷フォントサイズ）×検出した文字数）を算出する。
【００３４】
Ｓ１０７：システム制御部１１２は、Ｓ１０６においてプレビュー判定部１０２が算出した優先度の値に基づいて優先的に確認すべきプレビュー画像の一覧のページを強調して表示部１０６に表示する。なお、強調の方法としては、一覧表示の際に優先度の高い順にページを整列して表示する。また、優先度の高いページの縁を太くして表示する等が挙げられる。（優先度に基づくプレビュー画像一覧表示）
Ｓ１０８：プレビュー画像の一覧のページを表示部１０６に表示したシステム制御部１１２は、操作部１０４によりプレビュー表示を要求する入力操作としてプレビュー画像のページの一覧からプレビュー表示させるページを選択する入力操作を受付けると処理をＳ１０９へ移行し、プレビュー表示させるページの選択がされずコピーを続行する操作を受付けると処理をＳ１１１へ移行する。
【００３５】
Ｓ１０９：プレビュー表示を要求する入力操作を操作部１０４が受付けると、システム制御部１１２は、プレビュー表示部１１３により、選択されたページのプレビュー画像を表示する。このプレビュー画像は、蓄積部１０３に蓄積された画像データに基づいてプレビュー生成部１１４が生成する。そのプレビュー画像には、ページＮｏ．や画像データのサイズ等の属性情報が含まれる。（プレビュー画像表示）
【００３６】
Ｓ１１０：プレビュー表示部１１３により、選択されたページのプレビュー画像を表示すると、システム制御部１１２は、操作部１０４により、他のプレビュー画像を表示するか否かの入力操作を受付け、他のプレビュー画像を表示する操作を受付けると処理をＳ１０７へ移行して他のプレビュー画像を表示する処理を行い、他のプレビュー画像を表示しない操作を受付けると処理をＳ１１１へ移行する。
Ｓ１１１：システム制御部１１２は、印刷部１０９により画像データを印刷するコピー処理を実行し、本処理を終了する。（機能実行）
【００３７】
図５は実施例における画面遷移の説明図である。
図５において、画面４０１は、図２におけるＳ１０１で表示される機能選択画面の例である。この画面４０１は、コピー機能を選択するための「Ｃｏｐｙ」キー、印刷機能を選択するための「Ｐｒｉｎｔ」キー等で構成されている。
画面４０２は、図２におけるＳ１０２で表示されるコピー機能の利用画面の例である。この画面４０２は、コピー機能を実行する際に、コピー機能の設定値の入力、プレビュー設定を行うための入力操作およびコピー機能を実行させる入力操作を受付ける画面である。
【００３８】
画面４０３は、図２におけるＳ１０２で表示されるプレビュー条件の設定を受付けるプレビュー設定画面の例である。この画面４０３は、画面４０２においてプレビュー設定を行うための入力操作が行われたときに表示される画面である。なお、画面４０３では、プレビュー条件として「情報量の多いページ」および「小さなフォントを含むページ」が選択されている例を示している。
【００３９】
画面４０４は、図２におけるＳ１０７で表示されるプレビュー画像一覧表示の画面の例である。この画面４０４は、プレビュー表示の優先度の高い順に左側から右側に整列して表示することにより、優先度の高いページを強調するようにしている。また、画面４０４では、メニュー４０４ａによりプルダウン形式で「情報量の多い順に表示」、「フォントの小さい文字を含む順に表示」、「指定した文字列を含む順に表示」等のプレビュー条件を選択することができるようになっている。なお、画面４０４は、原稿を読取った順に一覧表示するようにしても良い。
【００４０】
画面４０５は、図２におけるＳ１０９で表示されるプレビュー画像の表示画面である。この画面４０５は、画面４０４で選択されたページのプレビュー画像を属性情報とともに表示する。画面４０５では、プレビュー表示を確認した利用者が当該ページを印刷しないように削除する操作ボタン４０５ａやコピーを行う際の設定の変更を行うことを指示する操作ボタン４０５ｂが設けられている。
削除する操作ボタン４０５ａが押下されると、システム制御部１１２は当該ページの画像データを蓄積部１０３から削除する。また、操作ボタン４０５ｂが押下され、設定の変更が行われると、画像変換部１１１は蓄積部１０３に蓄積された画像データに対して変更された設定に基づいて画像変換を行う。
【００４１】
このように、本実施例では、画像を出力する際に、出力する画像をプレビュー表示する条件を設定可能とし、設定された条件に従って出力する画像をプレビュー表示するようにしたことにより、利用者は出力するすべての画像の中から確認すべき画像を容易にプレビュー表示させることができ、利用者の利便性を向上させることができる。
本実施例の変形例として、画面４０３に「向きが異なるページ」というプレビュー条件を設けても良い。この場合、解析部１１５において検出した文字の向きが他のページの文字の向きと異なることを検出することにより、例えば文字の向きが上下逆になったページをプレビュー表示の優先度が高いページであると判定する。
【００４２】
図６は、文字の向きが上下逆になった画像データの説明図である。図６に示すように、画像データ６０２の文字の向きは画像データ６０１、６０３の文字の向きとは上下が逆になっている。解析部１１５は、画像データ６０１、６０２、６０３を解析し、画像データ６０２の文字の向きが上下逆であることを検出し、画像データ６０２がプレビュー表示の優先度が高いと判定する。
また、文字の向きが傾いたページをプレビュー表示の優先度が高いページであると判定するようにしても良い。図７は、傾いた画像データの説明図である。図７（ａ）に示す文字の傾きがないページ５０１に対して図７（ｂ）に示す文字の傾きのあるページ５０２のプレビュー表示の優先度が高いと判定するようにしても良い。
【００４３】
また、本実施例の変形例として、印刷を伴う画像処理を行う際に、トナー、インク等の複合機１００の資源が消費されるため、システム制御部１１２によりトナー等の資源の残量が所定量以下になったと判定された場合、プレビュー判定部１０２は当該資源を多く消費する画像データについてプレビュー表示の優先度が高いと判定するようにしても良い。なお、トナー不足等の資源の残量が所定量以下になったことはシステム制御部１１２により検知される。
【００４４】
例えば、解析部１１５は、画像データの色の情報を解析し、画像処理を行うために使用（消費）される資源としてのトナーの量を算出する。プレビュー判定部１０２は、解析部１１５のトナーの量の算出結果に基づいて残量が少ないトナーの使用量が、所定の量より多い場合（閾値を超えた場合）に、プレビュー表示の優先度が高いと判定する。
ここで、資源とは、トナー、インク等の現像剤、印刷用紙、印刷用紙のサイズ、記憶手段の記憶容量、通信回線の回線速度等が挙げられる。
【００４５】
図８はトナー消費量が多い画像データの説明図である。図８では、２ページ目の画像データ７０２のトナーの使用量が、１ページ目の画像データ７０１、３ページ目の画像データ７０３のトナーの使用量よりも多いことを示している。
また、図９はトナー消費量が多い画像データのプレビュー画面の説明図である。図９では、トナーの消費量が多いと判定され、かつトナー残量が不足している場合に、当該画像データのプレビュー表示を行う画面８０１を示している。
画面８０１は、プレビュー一覧を表示して選択されたページを表示するのではなく、残量の少ないトナーを所定の量より多く消費すると判定されたタイミングで警告とともに、プレビュー表示されるようにする。なお、プレビュー一覧を表示して優先度の高い順に強調表示して利用者の選択操作を受付けてプレビュー表示するようにしても良い。
【００４６】
このように、トナーの消費量が多いと判定され、かつトナー残量が不足している場合に、当該画像データのプレビュー表示を行うようにしたことにより、利用者は、トナーの残量が不足した装置によりコピーを行う際に、不足したトナーを多く消費するページをプレビュー表示により確認し、当該ページの出力の必要性が低いと判断した場合、当該ページをコピーの対象外とすること、またはカラーからモノクロのコピーに設定変更することなどの対処を行うことができるようになる。したがって、利用者の利便性を向上させることができる。
なお、当該画像データのプレビュー表示は、コピーにおけるすべての原稿の読取り動作を終了したときに行うものとするが、１枚の原稿の読取り動作毎に、行うようにしても良い。
【００４７】
また、本実施例では、解析部１１５による画像データの解析は、画像変換部１１１による画像変換処理の前後のいずれで行うようにしても良い。例えば、ファックス送受信部１０８で受信した画像データを５０％の大きさに圧縮してＰＤＦ（Ｐｏｒｔａｂｌｅ  Ｄｏｃｕｍｅｎｔ  Ｆｏｒｍａｔ）ファイル化し、通信部１１０から電子メールに添付して送信するという場合において、５０％の大きさに圧縮された後の画像データに含まれる文字が読み取ることが可能な文字になっているかをプレビュー表示して確認する場合、画像変換処理後の画像データを対象にして解析部１１５によりフォントのサイズを解析し、プレビュー判定部１０２により優先度を判定するようにする。
【００４８】
なお、解析部１１５による画像データの解析を画像変換部１１１による画像変換処理の前後のいずれで行うかの設定は、操作部１０４を介してプレビュー管理部１０１で受付けるようにすれば良い。
以上説明したように、本実施例では、画像を出力する際に、出力する画像をプレビュー表示する条件を設定可能とし、設定された条件に従って出力する画像をプレビュー表示するようにしたことにより、利用者は出力するすべての画像の中から確認すべき画像を容易にプレビュー表示させることができ、利用者の利便性を向上させることができるという効果が得られる。
【００４９】
また、プレビュー表示させる優先度に従って出力する画像をプレビュー表示するようにしたことにより、利用者は出力する画像を容易に確認することができるという効果が得られる。
なお、本実施例では、画像処理装置を複合機として説明したが、それに限られることなく、印刷装置、複写機、ファクシミリ装置等としても良い。また、画像処理装置を印刷装置、複写機、ファクシミリ装置等に接続された上位装置としてのコンピュータとしても良い。
【符号の説明】
【００５０】
１００  複合機
１０１  プレビュー管理部
１０２  プレビュー判定部
１０３  蓄積部
１０４  操作部
１０５  選択部
１０６  表示部
１０７  読取部
１０８  ファックス送受信部
１０９  印刷部
１１０  通信部
１１１  画像変換部
１１２  システム制御部
１１３  プレビュー表示部
１１４  プレビュー生成部
１１５  解析部
【図１】
2016063400.tif 000003
【図２】
2016063400.tif 000004
【図３】
2016063400.tif 000005
【図４】
2016063400.tif 000006
【図６】
2016063400.tif 000007
【図５】
2016063400.tif 000008
【図７】
2016063400.tif 000009
【図８】
2016063400.tif 000010
【図９】
2016063400.tif 000011